(57)【要約】【課題】メンテナンスを容易に実行可能にしつつ、装置規模を抑制することを可能にする。【解決手段】  画像読取記録装置１００は、画像記録ユニット１０と、画像記録ユニット１０の上部に回転可能に軸支され、画像記録ユニット１０に対して回転することで開閉する画像読取ユニット２０とを有する。また、画像読取記録装置１００は、画像読取ユニット２０の下面に取り付けられ、開口部３０ａが形成されたステー３０と、ステー３０の開口部３０ａに挿入される回転子４０と、開口部３０ａの内周部に設けられた第１のカム面と、回転子４０の外周部に設けられた第２のカム面とを有する。また、画像読取ユニット２０の開閉に応じて第１のカム面と第２のカム面とが互いに当接することによって回転子４０が回転し、第１のカム面および第２のカム面が互いに噛み合うことにより、カバー部が第１の開放角度で開放した第１の開放状態に保持される。【選択図】図６
2018019341.tif 000002
【特許請求の範囲】
【請求項１】
記録媒体に記録を行う記録ヘッドを有する記録部と、前記記録部の上部に回動可能に軸支され、前記記録部に対して回転することで開閉するカバー部とを有する画像記録装置において、
前記カバー部の下面に取り付けられ開口部が形成されたステーと、前記記録部に取り付けられ前記開口部に挿入される回転子と、
前記開口部の内周部に設けられた第１のカム面と、
前記回転子の外周部に設けられた第２のカム面と、を有し、
前記カバー部の開閉に応じて前記第１のカム面と前記第２のカム面とが互いに当接することによって前記回転子が回転し、
前記第１のカム面および前記第２のカム面が互いに噛み合うことにより、前記カバー部が第１の開放角度で開放した第１の開放状態に保持されることを特徴とする画像記録装置。
【請求項２】
前記第１のカム面および前記第２のカム面は、前記カバー部が、閉鎖している閉鎖状態から前記第１の開放角度よりも大きい前記第２の開放角度で開放している第２の開放状態になり、当該第２の開放状態から前記第１の開放状態になると、互いに噛み合うことを特徴とする請求項１に記載の画像記録装置。
【請求項３】
前記カバー部が前記第１の開放状態から前記第２の開放状態になると、前記カバー部が前記閉鎖状態になるまで、前記第１のカム面および前記第２のカム面の噛み合いが防止されることを特徴とする請求項２に記載の画像記録装置。
【請求項４】
前記カバー部が前記第１の開放状態から前記第２の開放状態になると、前記カバー部が再び前記第２の開放状態になるまで、前記第１および前記第２のカム面の噛み合いが防止されることを特徴とする請求項２または３に記載の画像記録装置。
【請求項５】
前記開口部の内周部に形成された凸形状の面と、前記回転子の外周部に形成された凹形状の面とが噛み合い、
前記第１のカム面は、前記凸形状の面の前記カバー部が開く方向の隣側に形成された凹形状の面を有することを特徴とする請求項１ないし４のいずれか１項に記載の画像記録装置。
【請求項６】
前記ステーは、前記カバー部の回動方向に沿って形成された円弧状のラックを有し、
前記ラックに連結された歯車と、前記歯車の回動動作を減衰させるダンパ部品と、前記歯車と前記ダンパ部品を連結し、前記歯車の回動動作のうち前記カバー部が閉鎖する際の回動動作を前記ダンパ部品に伝えるワンウェイ機構と、を有することを特徴とする請求項１ないし５のいずれか１項に記載の画像記録装置。
【請求項７】
前記カバー部は、原稿に記録された画像を読み取る読取手段を収容していることを特徴とする請求項１ないし６のいずれか１項に記載の画像記録装置。
【発明の詳細な説明】
【技術分野】
【０００１】
本発明は、画像を記録する記録部の上部に開閉可能に設けられたカバー部を有する画像記録装置に関する。
【背景技術】
【０００２】
画像を読み取る画像読取手段と画像を記録する画像記録手段とを有する画像読取記録装置では、通常、画像読取手段と画像記録手段とが上下方向に並ぶように構成されている。特に、画像読取手段が画像記録手段の上に設けられることが多い。
また、画像記録手段には、紙などの記録媒体に画像を記録する記録部や、記録媒体を搬送する搬送部のようなメンテナンスが必要な構成部が備わっている。このため、画像記録手段の上に画像読取手段が設けられている場合、各構成部のメンテナンスを行うためには、画像読取手段と画像記録手段とを相対的に移動させて、下側にある画像記録手段の上部を露出させる必要がある。また、メンテナンスを容易に行うためには、ユーザが画像読取手段を手で押さえなくても、画像記録手段の上部が露出した状態が維持されることが望ましい。
特許文献１に記載の画像形成装置では、画像読取手段が画像記録手段の上に設けられ、ヒンジ機構を用いて画像読取手段を画像記録手段に対して開閉可能に接続する開閉機構が備わっている。この開閉機構は、画像記録手段の上面部と画像読取手段の下面部とを、画像記録手段の開閉動作に連動して動くステーで連結する。さらに開閉機構は、画像記録手段の開閉動作に連動して揺動するカムレバーを用いて、画像読取手段が所望の開放角度で開放した状態でステーを固定し、画像読取手段を所望の開放角度で開放した状態に維持させている。
【先行技術文献】
【特許文献】
【０００３】
【特許文献１】特開２００９−２９０５１５号公報
【発明の概要】
【発明が解決しようとする課題】
【０００４】
しかしながら、特許文献１に記載の画像形成装置では、カムレバーが画像記録手段の回動軸方向に揺動するため、開閉機構を収納するスペースとは別に、カムレバーが動く範囲分のスペースが必要となり、装置規模に影響を及ぼす恐れがある。
【０００５】
本発明は、上記の問題を鑑みてなされたものであり、メンテナンスを容易に実行可能にしつつ、装置規模を抑制することが可能な画像記録装置を提供することを目的とする。
【課題を解決するための手段】
【０００６】
本発明による画像記録装置は、記録媒体に記録を行う記録ヘッドを有する記録部と、前記記録部の上部に回動可能に軸支され、前記記録部に対して回転することで開閉するカバー部とを有する画像記録装置において、前記カバー部の下面に取り付けられ開口部が形成されたステーと、前記記録部に取り付けられ前記開口部に挿入される回転子と、前記開口部の内周部に設けられた第１のカム面と、前記回転子の外周部に設けられた第２のカム面と、を有し、前記カバー部の開閉に応じて前記第１のカム面と前記第２のカム面とが互いに当接することによって前記回転子が回転し、前記第１のカム面および前記第２のカム面が互いに噛み合うことにより、前記カバー部が第１の開放角度で開放した第１の開放状態に保持されることを特徴とする。
【発明の効果】
【０００７】
本発明によれば、開口部の内周部に設けられた第１のカム面と、開口部に挿入された回転子の外周部に設けられた第２のカム面とが互いに噛み合って、カバー部が第１の開放状態に保持される。このため、カムレバーのようなカバー部の回動軸方向に動く部材を用いなくても、記録部の上部が露出した状態に維持させることが可能になる。したがって、メンテナンスを容易に実行可能にしつつ、装置規模を抑制することが可能になる。
【図面の簡単な説明】
【０００８】
【図１】本発明の第１の実施形態の画像読取記録装置を模式的に示す斜視図である。
【図２】画像読取ユニットが開放状態の画像読取記録装置を模式的に示す斜視図である。
【図３】記録動作を行う際の画像読取記録装置を模式的に示す斜視図である。
【図４】読取動作を行う際の画像読取記録装置を模式的に示す斜視図である。
【図５】閉鎖状態の画像読取記録装置を模式的に示す透視側面図である。
【図６】開放状態の画像読取記録装置を模式的に示す透視側面図である。
【図７】ステーを模式的に示す斜視図である。
【図８】回転子を模式的に示す斜視図である。
【図９】ステーおよび回転子の動作を説明するための図である。
【図１０】本発明の第２の実施形態の画像読取記録装置の要部を模式的に示す斜視図である。
【発明を実施するための形態】
【０００９】
以下、本発明の実施形態について図面を参照して説明する。なお、各図面において同じ機能を有するものには同じ符号を付け、その説明を省略する場合がある。
〔第１の実施形態〕
図１は、本発明の第１の実施形態の画像読取記録装置を模式的に示す斜視図である。図１に示す画像読取記録装置１００は、画像を記録する画像記録手段である画像記録ユニット１０と、画像を読み取る画像読取ユニット２０とを有する。画像記録ユニット１０および画像読取ユニット２０は、上下方向に並んで設けられる。具体的には、画像記録ユニット１０は、画像読取記録装置１００の下部に設けられた記録部であり、画像読取ユニット２０は、画像記録ユニット１０の上部に設けられ、画像記録ユニット１０に対して相対的に移動可能なカバー部である。本実施形態では、画像読取ユニット２０は、画像記録ユニット１０の上部に回動可能に軸支され、画像記録ユニット１０に対して回動することで開閉する。
図２は、画像読取ユニット２０が画像記録ユニット１０に対して開放した開放状態の画像読取記録装置１００を模式的に示す概略斜視図である。図２の例では、画像読取ユニット２０が画像記録ユニット１０に対して回動可能に軸支され、画像読取ユニット２０が回動軸Ａを中心に回動することで、画像読取ユニット２０が画像記録ユニット１０に対して開閉する。図２に示すように回動軸Ａ方向をＸ方向とし、上下方向をＺ方向としている。
画像読取記録装置１００は、電源ケーブルなどを介して供給される電力によって動作し、コンピュータのような外部装置や、画像読取記録装置１００に備わった操作パネルからの指示に従って、画像の記録や画像の読み取りを行う。
図３は、画像を記録する記録動作を行う際の画像読取記録装置１００を模式的に示す斜視図である。図３に示す画像読取記録装置１００は、画像記録ユニット１０として、記録媒体に記録を行う記録ヘッドを有する画像記録部１１と、画像記録部１１に記録媒体を供給する供給部１２と、画像記録部１１で記録が行われた記録媒体を排紙する排紙部１３とを有する。
画像記録ユニット１０は、供給部１２に載置された記録媒体を、用紙搬送部（図示せず）を用いて画像記録部１１内の画像の記録が可能な位置まで搬送する。そして、画像記録ユニット１０は、外部装置や操作パネルから入力された記録指示に従って、搬送された記録媒体に対して画像を記録する。画像記録ユニット１０は、その画像が記録された記録媒体を排紙部１３に排出する。
図４は、画像を読み取る読取動作を行う際の画像読取記録装置１００を模式的に示す斜視図である。図４に示す画像読取記録装置１００は、画像読取ユニット２０として、原稿を載置する載置台２１を備えた筐体２２と、載置台２１に載置された原稿を押圧する押圧板２３とを備える。筐体２２の内部には、載置台２１に載置された原稿に記録された画像を読み取る読取手段２４が収容されている。押圧板２３は、筐体２２内の画像読取部への外光を遮る機能も有している。
画像読取ユニット２０は、原稿が載置台２１に載置され、押圧板２３で原稿を押圧した状態で、原稿に記録された画像を読み取る。このとき、原稿は、画像の記録された面が載置台２１に向くように載置される。画像読取記録装置１００は、その読み取った画像を示す画像データを外部装置（図示せず）に送信してもよいし、その読み取った画像を、画像記録ユニット１０を用いて記録媒体に記録してもよい。
【００１０】
図５および図６は、図２の矢印で示されたＢ方向から見た画像読取記録装置１００を模式的に示す透視側面図である。具体的には、図５は、画像読取ユニット２０が画像記録ユニット１０に対して閉じた閉鎖状態の画像読取記録装置１００を示す。閉鎖状態では、画像読取ユニット２０は画像記録ユニット１０を覆っている。図６は、画像読取ユニット２０が画像記録ユニット１０に対して開いた開放状態を示す画像読取記録装置１００を示す。
図５および図６に示すように画像読取記録装置１００は、画像読取ユニット２０を画像記録ユニット１０に対して回動可能に軸支する開閉機構５０を有する。開閉機構５０により、画像読取ユニット２０が図２に示した回動軸Ａを中心に回動することで、画像読取ユニット２０が画像記録ユニット１０に対して開閉する。以下、画像読取ユニット２０が開く方向を＋Ｒ方向、画像読取ユニット２０が閉じる方向を−Ｒ方向とする。開閉機構５０は、例えば、ヒンジ機構などである。
画像読取ユニット２０の右側（開閉機構５０によって軸支されている側）の下面部には、薄板形状のステー３０が取り付けられている。本実施形態では、ステー３０は、表裏面が画像読取ユニット２０の回動軸Ａと略垂直となるようにネジ３１によって取り付けられ、画像読取ユニット２０の開閉動作に連動して、画像読取ユニット２０とともに動くように構成されている。また、ステー３０は、表裏面を貫通する開口部３０ａを有する。
また、画像記録ユニット１０の右側の上面部には、薄板形状の回転子４０が取り付けられている。本実施形態では、回転子４０はステー３０の開口部３０ａに挿入され、開口部３０ａの中で、画像読取ユニット２０の回動軸Ａと略平行な軸を中心に回転可能となるようにネジ４１によって取り付けられている。
【００１１】
図７は、ステー３０を模式的に示す斜視図である。図７に示すようにステー３０には、回転子４０が挿入される開口部３０ａと、ネジ３１が挿入される穴部３０ｂと、円弧状のラックである内側ギア３０ｃとが一体形成されている。ステー３０は、内側ギア３０が開閉機構５０側を向くように画像読取ユニット２０に取り付けられる。
開口部３０ａの内周部には、画像読取ユニット２０の開閉動作に応じて回転子４０と当接する第１のカム面であるカム面３０ｓ〜３０ｙが形成されている。カム面３０ｓは、開口部３０ａの上部（＋Ｒ方向の端部）に形成された略コ形状を有する面である。カム面３０ｘは、カム面３０ｓの一方の終端に形成された凸形状を有する面であり、カム面３０ｙは、カム面３０ｓの他方の終端に形成された凸形状を有する面である。カム面３０ｕは、開口部３０の下部に形成された凸形状を有する面であり、カム面３０ｖは、カム面３０ｕに開閉機構５０側に隣接して形成された平坦形状を有する面である。カム面３０ｗは、カム面３０ｙの−Ｒ方向の隣側に形成された凹形状を有する面である。カム面３０ｔは、カム面３０ｗの−Ｒ方向の隣側に形成された凸形状を有する面である。なお、上下方向は、ステー３０が画像読取ユニット２０に取り付けられた際の上下方向を示している。また、内側ギア３０ｃは、本実施形態では使用されず、第２の実施形態で使用されるため、内側ギア３０ｃの説明は第２の実施形態で行う。
図８は、回転子４０を模式的に示す斜視図である。図８では、図５および図６で示された側の反対側から見た回転子４０が示されている。回転子４０には、ネジ４１が挿入される穴部４０ａが形成されている。また、回転子４０の外周部には、画像読取ユニット２０の開閉動作に応じて、ステー３０の内周部に形成されたカム面３０ｓ〜３０ｙと当接する第２のカム面であるカム面４０ｃ〜４０ｆが一体形成されている。
具体的には、回転子４０の外周部は、略長方形状に形成されており、カム面４０ｃ〜４０ｅは、外周部の短辺に形成され、カム面４０ｆは外周部の長辺に形成されている。カム面４０ｄは、短辺上の中央付近に形成された凹形状の面である。カム面４０ｄを形成する凹形状部の両壁面は互いに非対称であり、一方の壁面の傾斜が他方の壁面の傾斜よりも急になっている。カム面４０ｃおよび４０ｅは、カム面４０ｄの両側に形成され、カム面４０ｃは、カム面４０ｄにおける急な傾斜の壁面と接続され、カム面４０ｅは、カム面４０ｄにおける緩やかな傾斜の壁面と接続されている。
ステー３０における開口部３０ａのカム面３０ｓ〜３０ｙと、回転子４０のカム面４０ｃ〜４０ｆとは、それぞれのカム面が当接して回転子４０を開口部３０ａの中で回転させる機能を有する。また、ステー３０のカム面３０ｔおよび回転子４０のカム面４０ｄとは、画像読取ユニット２０が第１の開放角度で開放している第１の開放状態のときに互いに噛み合うことで、画像読取ユニット２０を第１の開放状態に保持する噛合部として機能する。噛合部は、より具体的には、画像読取ユニット２０が閉鎖している閉鎖状態から、第１の開放角度よりも大きい第２の開放角度で開放している第２の開放状態になり、さらに第２の開放状態から第１の開放状態になると、互いに噛み合う。第２の開放状態は、本実施形態では、画像読取ユニット２０が最大に開放された状態である。
【００１２】
以下、画像読取記録装置１００の開閉動作時におけるステー３０と回転子４０の動作について説明する。
図９は、ステー３０および回転子４０を図２で示したＢ方向から見た側面図であり、画像読取ユニット２０が開閉動作に伴う、ステー３０および回転子４０の動作が示されている。
先ず、画像読取ユニット２０が閉鎖状態から第１の開放状態になるまでの動作を説明する。
画像読取ユニット２０が閉鎖状態の場合、ステー３０および回転子４０は、図９（ａ）に示す初期状態、つまり、回転子４０はステー３０の開口部３０ａの上部に形成されたカム面３０ｓに収納された状態になっている。このとき回転子４０は、外周部の長辺が上下方向と略平行になるように開口部３０ａに挿入される。
画像読取ユニット２０が閉鎖状態から＋Ｒ方向に回動して開放されると、回転子４０は、開口部３０ａ内を滑り、画像読取ユニット２０が第２の開放状態になると、回転子４０が開口部３０の下方に到達する。このとき、ステー３０のカム面３０ｕが回転子４０の下側のカム面４０ｃと当接し、回転子４０に対して図９（ｂ）に示すＰ方向への回転トルクを加える。これにより、回転子４０がＰ方向に回転して、図９（ｂ）に示すように、ステー３０のカム面３０ｕが回転子４０の下側のカム面４０ｄに入り込み、回転子４０が停止する。
図９（ｂ）に示す状態から画像読取ユニット２０が−Ｒ方向に回動すると、回転子４０は、開口部３０ａ内を滑り、画像読取ユニット２０が第１の開放状態になる。このとき、ステー３０のカム面３０ｔが図８に示した回転子４０の上側のカム面４０ｃに当接し、回転子４０に対してＰ方向への回転トルクを加える。これにより、回転子４０がＰ方向に回転して、図９（ｃ）に示すように、ステー３０のカム面３０ｔが回転子４０の上側のカム面４０ｄに入り込み、回転子４０が停止する。この状態では、ステー３０のカム面３０ｔと回転子４０のカム面４０ｄとが互いに噛み合うこととなる。このため、画像読取記録装置１００のユーザが画像読取ユニット２０から手を放しても、ステー３０と回転子４０との位置関係が変化せず、画像読取ユニット２０が第１の開放状態で保持されることになる。
続いて画像読取ユニット２０が第１の開放状態から閉鎖状態になるまでの動作を説明する。
図９（ｃ）に示す状態から画像読取ユニット２０が＋Ｒ方向に回動すると、回転子４０は開口部３０ａ内を滑り、画像読取ユニット２０が第２の開放状態になる。このとき、ステー３０のカム面３０ｕが回転子４０のカム面４０ｆに当接し、回転子４０に対してＰ方向への回転トルクを加える。これにより、回転子４０がＰ方向に回転して、図９（ｄ）に示すようにステー３０のカム面３０ｕおよび３０ｖと回転子４０の図８に示したカム面４０ｆおよび４０ｅがそれぞれ当接し、回転子４０が停止する。
図９（ｄ）に示す状態から画像読取ユニット２０が−Ｒ方向に回動すると、回転子４０は開口部３０ａ内を滑り、画像読取ユニット２０が第１の開放状態になる。このとき、ステー３０のカム面３０ｔが回転子４０のカム面４０ｆ（図９（ｄ）でカム面３０ｕと当接していたカム面４０ｆと対向する側のカム面４０ｆ）に当接し、回転子４０に対してＰ方向への回転トルクを加える。これにより、回転子４０がＰ方向に回転して、図９（ｅ）に示すように回転子４０の外周部の長辺が上下方向と平行に近づく。
その後、図９（ｅ）に示す状態から画像読取ユニット２０がさらに−Ｒ方向に回動すると、回転子４０は開口部３０ａ内を滑る。そして、図９（ｆ）に示すように、ステー３０のカム面３０ｘが回転子４０のカム面４０ｅに当接し、回転子４０に対してＰ方向への回転トルクを加える。これにより、回転子４０がＰ方向に回転して、回転子４０がステー３０の開口部３０ａの上部のカム面３０ｓに収納され、画像読取ユニット２０が閉鎖状態になると、ステー３０および回転子４０は、図９（ａ）に示す初期状態に戻る。
なお、上記の動作では、画像読取ユニット２０が第１の開放状態から第２の開放状態になると、画像読取ユニット２０が閉鎖状態になるまで、カム面３０ｔおよびカム面４０ｄの噛み合いが防止されている。具体的には、画像読取ユニット２０が第１の開放状態から第２の開放状態になると、ステー３０および回転子４０は、ステー３０のカム面３０ｕが回転子４０のカム面４０ｆに当接して回転子４０が回転し、図９（ｄ）に示した状態になる。このため、画像読取ユニット２０が第１の開放状態に戻ってもカム面３０ｔおよびカム面４０ｄが噛み合わず、カム面３０ｔおよびカム面４０ｄの噛み合いが防止されることになる。したがって、画像読取ユニット２０を閉鎖状態に戻す際に、途中で回動が規制されることはない。
以上説明したように本実施形態によれば、ステー３０の開口部３０ａの内周部に形成されたカム面３０ｓ〜３０ｙと回転子４０の外周部に形成されたカム面４０ｃ〜４０ｆは、回転子４０を開口部３０ａの中で回転させる。また、カム面３０ｔおよびカム面４０ｄは、画像読取ユニット２０が第１の開放角度で開放した第１の開放状態のときに互いに噛み合い、画像読取ユニット２０を第１の開放状態に保持する。カムレバーのような画像読取ユニット２０の回動軸Ａ方向に動く部材を用いなくても、画像記録ユニット１０の上部が露出した状態を維持することが可能になる。したがって、メンテナンスを容易に実行可能にしつつ、装置規模を抑制することが可能になる。また、ステー３０と回転子４０が薄板形状を有するため、特に図２に示すＸ方向において装置規模をより抑制することが可能になる。
【００１３】
（第１の付加機能）
図９の例では、ユーザが画像読取ユニット２０を第１の開放状態から閉鎖状態に移行させている途中に、図９（ｆ）に示した状態になると、画像読取ユニット２０を閉鎖状態まで移行させずに第１の開放状態に戻すことが可能になる。
具体的には、図９（ｆ）に示した状態から画像読取ユニット２０が＋Ｒ方向に回動すると、回転子４０は、開口部３０ａ内を滑り、画像読取ユニット２０が第２の開放状態になると、ステー３０および回転子４０は、再び図９（ｂ）で示した状態になる。このため、その状態から画像読取ユニット２０が−Ｒ方向に回動して第１の開放状態になると、再び図９（ｃ）に示したように、ステー３０のカム面３０ｔと回転子４０のカム面４０ｄとが互いに噛み合う。したがって、画像読取ユニット２０が第１の開放状態から第２の開放状態になる場合、画像読取ユニット２０が第２の開放状態になるまでの間、カム面３０ｔおよびカム面４０ｄの噛み合いが防止されることとなる。
本付加機能によれば、ユーザが画像読取ユニット２０を第１の開放状態から閉鎖状態に移行させている途中に、第１の開放状態に戻す必要が生じても、画像読取ユニット２０を閉鎖状態まで移行させずに第１の開放状態に戻すことが可能になる。このため、また、ステー３０のカム面３０ｘをできるだけカム面３０ｔに近い位置に形成することで、図９（ｆ）に示した状態にし易くなるので、ユーザの利便性をより向上させることが可能になる。
【００１４】
（第２の付加機能）
図９を用いて説明した動作では、画像読取ユニット２０を第１の開放状態から閉鎖状態に移行させるため、ユーザは、一旦、画像読取ユニット２０を＋Ｒ方向に回動させて第２の開放状態にさせていた。しかしながら、画像読取ユニット２０を第１の開放状態から−Ｒ方向に回動させることで、第２の開放状態を介さずに直接閉鎖状態にすることもできる。これは、ステー３０の開口部３０には、噛合部を構成するカム面３０ｙに隣接した凹形状のカム面３０ｗが形成されているためである。
具体的には、第１の開放状態に対応する図９（ｃ）に示す状態から画像読取ユニット２０を−Ｒ方向に所定の力を加えると、回転子４０のカム面４０ｅがステー３０のカム面３０ｗに落ち込んでいく。さらにステー３０のカム面３０ｙに回転子４０のカム面４０ｅが引っ掛かることで、回転子４０がＰ方向に回転し、図９（ｆ）に示す状態となる。このため、画像読取ユニット２０をそのまま−Ｒ方向に回動させることで、第２の開放状態を介さずに閉鎖状態にすることができる。なお、所定の力は、回転子４０のカム面４０ｄおよび４０ｅや、ステーのカム面３０ｙおよび３０ｗの形状などによって異なる。このため、これらの形状を調整することで、画像読取ユニット２０を第２の開放状態を介さずに直接閉鎖状態にするための所定の力を調整することができる。
本付加機能によれば、ユーザが誤って画像読取ユニットを第１の開放状態から−Ｒ方向に回動させても、ステー３０や回転子４０が破損することを抑制することが可能になる。
【００１５】
〔第２の実施形態〕
図１０は、本発明の第２の実施形態の画像読取記録装置１００の要部を模式的に示す斜視図である。図１０では、ステー３０と、歯車６０と、ダンパ部品７０と、ワンウェイ機能部品８０とが示されている。
歯車６０は、ステー３０の内側ギア３０ｃに連結されている。内側ギア３０ｃは、ステー３０に沿った平面と画像読取ユニット２０の回動軸Ａとの交点を中心とした円をピッチ円とした、画像読取ユニット２０の回動方向（±Ｒ方向）に沿って形成された円弧状のラックである。歯車６０は、１つでも良いし、複数でもよい。図１０の例では、３個の歯車が連結されている。
ダンパ部品７０は、歯車６０の回動動作を減衰させる。ダンパ部品７０は、例えば、オイルダンパやバネクラッチなどである。本実施形態では、ダンパ部品７０はバネクラッチである。
ワンウェイ機能部品８０は、歯車６０とダンパ部品７０を連結し、歯車６０の回動動作のうち画像読取ユニット２０が閉鎖する際の回動動作をダンパ部品７０に伝えるワンウェイ機構である。なお、ワンウェイ機能部品８０は、画像読取ユニット２０が開放する際には空回りして、歯車６０の回動動作がダンパ部品７０に伝わることを防止する。ワンウェイ機能部品８０は、例えば、振り子ギアやセレートギアである。本実施形態では、ワンウェイ機能部品８０はセレートギアである。
以上説明した本実施形態によれば、画像読取ユニット２０が閉鎖する−Ｒ方向に回動すると、その回動動作が歯車６０とワンウェイ機能部品８０とを介してダンパ部品７０に伝わり、ダンパ部品７０によって減衰される。このため、ユーザが誤って画像読取ユニット２０を開放動作中に手放しても、画像読取ユニット２０の自重で画像読取ユニット２０が急激に閉じることを抑制することが可能になる。
また、画像読取ユニット２０が開放する＋Ｒ方向に回動する場合、回動動作がワンウェイ機能部品８０で遮断されダンパ部品７０まで伝わらないため、ユーザに係る負荷を画像読取ユニット２０の重量だけにすることが可能になり、操作性が向上する。
【００１６】
以上説明した各実施形態において、図示した構成は単なる一例であって、本発明はその構成に限定されるものではない。
例えば、画像記録装置として、画像記録ユニット１０と画像読取ユニット２０とを有する画像読取記録装置１００を例に説明したが、画像記録装置はこの例に限らない。画像記録装置は、記録部（画像記録ユニット１０）の上部に回動可能に軸支され、その記録部に対して回動することで開閉するカバー部を有する装置に適用することができる。
【符号の説明】
【００１７】
１０  画像記録ユニット（読取部）
２０  画像読取ユニット（カバー部）
３０  ステー
３０ａ  開口部
３０ｓ〜３０ｙ  カム面（第１のカム面）
４０ｃ〜４０ｆ  カム面（第２のカム面）
４０  回転子
６０  歯車
７０  ダンパ部品
８０  ワンウェイ機能部品（ワンウェイ機構）
１００  画像読取記録装置
【図１】
2018019341.tif 000003
【図２】
2018019341.tif 000004
【図３】
2018019341.tif 000005
【図４】
2018019341.tif 000006
【図５】
2018019341.tif 000007
【図６】
2018019341.tif 000008
【図７】
2018019341.tif 000009
【図８】
2018019341.tif 000010
【図９】
2018019341.tif 000011
【図１０】
2018019341.tif 000012